(57)【要約】      （修正有）【課題】従来、調理容器が直接接する五徳の腕は、上に載せる調理容器が水平を保つように平面を構成するように作られている。そのため調理容器は水平方向へ自由に移動可能なため、安全且つ効率的に火にかけるためには、使用者が調理容器を五徳に置く際、置く下地、置き方、その位置に特に注意する必要があった。加熱調理器具の上に設置する調理容器を堅固に保持する機能を提供する。【解決手段】加熱調理器具３の上に設置する五徳１の周辺を中心部より高くして、五徳の上に設置する調理器具を堅固に保持することを特徴とする。【選択図】図１
2013032897.tif 000002
【特許請求の範囲】
【請求項１】
周辺部が中央部より高いことにより調理容器が安定に保持できることを特徴とする五徳。
【請求項２】
請求項１の構造において、五徳の調理容器を載せる部位が中央に向かって水平に対して下向きに傾斜していることを特徴とする五徳。
【請求項３】
請求項１の構造において、五徳の調理容器を載せる部位が凹形状に下向きに湾曲していることを特徴とする五徳。
【請求項４】
請求項１の構造において、五徳の調理容器を載せる部位が階段状に下向きに傾斜していることを特徴とする五徳。
【請求項５】
請求項２の構造において、五徳の外側周辺端部が水平であることを特徴とする五徳。
【請求項６】
請求項２の構造において、五徳の調理容器を載せる部位に滑り止めの凹凸があることを特徴とする五徳。
【請求項７】
請求項３の構造において、五徳の調理容器を載せる部位に滑り止めの凹凸があることを特徴とする五徳。
【請求項８】
請求項１の構造において、五徳が加熱調理器具の中心部から放射状に周辺に向かって伸びていることを特徴とする五徳。
【請求項９】
請求項２の構造において、五徳の調理容器を載せる部位の水平となす角度が可変であることを特徴とする五徳。
【請求項１０】
請求項８の構造において、放射状に周辺に向かって伸びている五徳の水平となす角度が可変であることを特徴とする五徳。
【請求項１１】
請求項１の構造において、加熱調理器具に五徳をねじあるいははめあいによって固定することを特徴とする五徳。
【発明の詳細な説明】
【技術分野】
【０００１】  本発明は、上に載せる調理容器が安定して保持できる五徳に関するものである。
【背景技術】
【０００２】  人間の野外でのレクリエーション活動が盛んになるにつれ、室内だけでなく野外での煮炊きを行うことが一般化しつつある。とくに野外では携帯型のバーナーや焚き火台などの加熱調理器具に五徳を取り付けて、煮炊きする食材や液体を入れた鍋、釜、フライパン、あるいはシエラカップ等の調理容器を直接熱して煮炊きを行う。
従来、調理容器が直接接する五徳の腕は、上に載せる調理容器が水平を保つように平面を構成するように作られている。そのため調理容器は水平方向へ自由に移動可能なため、安全且つ効率的に火にかけるためには、使用者が調理容器を五徳に置く際、置く下地、置き方、その位置に特に注意する必要がある。また、腕自身が一体化されないで分割されている場合も多く、小さいシエラカップなどの調理容器が腕のない部分に落ち込んで大きく傾き、内容物が外にこぼれたりして危険であった。
【発明の概要】
【０００３】  本発明は、加熱調理器具に載せた調理容器が傾いて内容物がこぼれたり、ずれて五徳から落ちないように、五徳の周辺を五徳の中央より高く作ったことを特徴とする。
【課題を解決するための手段】
【０００４】  図１に本発明の主要構造の一つを簡単に示した。加熱調理器具３の上に載せた五徳１の五徳腕２の周辺部を中央部より高くするため、当該腕を中央に向かって下に傾斜させている。調理容器４はこの傾斜の付いた五徳腕２に載せる。傾斜は一定の角度である必要はなく、円弧状であったり、ごく短い水平部分を複数組み合わせた階段状でも同じ効果がある。
【発明の効果】
【０００５】  一定の傾斜を持つ五徳腕２に底が球面の鍋を載せた場合を図２に示す。球面鍋５は五徳腕２と接点４２で接することとなり、球面鍋５に外力が加わった場合、接点４２は五徳腕３の傾斜により重力に逆らって上方へ移動せざる得ないことから、球面鍋５を自ずと中央に位置する力が発生し、外への移動を抑制され五徳から外れる危険性を大きく軽減する。また概念図を図３に示したとおり、球面鍋５が傾くと球面鍋５は接触円７の軌跡の上を動く。すると球面鍋５の重心６は、重心軌跡円８上を動く。図３に示すように、当該球面鍋５が水平の時が最も重心が低い。言い換えれば外力が加わったとしても球面鍋５は常に水平を保つよう自らを保持する。ここでは、説明に球面を真円とした場合を用いたが、円弧の曲率半径が部分部分によって多少異なる場合でも同じ効果が期待できる。【０００６】  図２と図３で本発明の効果を空の調理容器を用いて説明したが、煮炊きする食材が入っていても同じ動きをする。煮炊きする食材は通常流動的で、球面鍋５が傾いても自らが水平を保つので問題はない。この食材の質量に応じて重心位置が上昇するが、食材面がおおよそ水平を保つので傾いても食材そのものの重心位置は変わらない。また流動的でない食材でも、通常調理容器をはみ出すほど入れることはないので、バランスが保てないほど重心が著しく上に上がることはない。【０００７】  ただ、球面鍋５と当該球面鍋５に接する五徳腕２はともに加熱調理器具３で加熱されており、表面の油脂成分などは燃焼して消失している。したがって当該球面鍋５や当該五徳腕２の表面はそれらの金属面が露出しているかあるいはそれらの金属の酸化膜などで覆われているので、いったん外力によって大きく傾いたとしても当該球面鍋５と当該五徳腕２どうしの摩擦力によって必ずしも水平には復帰しないが、少なくとも持続的に大きな外力がなければ傾くことはない。【０００８】  底が平らな平坦底調理容器９の場合を、図４に示す。一般に平坦底調理容器９は水平を保つように使用されるため、五徳１の上に置くと五徳腕２と平坦底調理容器９の接点４２はそれぞれ地上より同じ高さとなり、五徳腕２が等しく傾斜していることから接点４２は全て五徳中心部１０より同じ距離となり、自ずと五徳１の中央に平坦底調理容器９が位置することになる。調理容器が五徳から落ちることを未然に防ぐ本発明の効果である。また図５にその概念図を示すように、平坦底調理容器９に外力が加わり傾いた場合、水平の場合の重心６が必ずしも傾いた場合の重心位置より低くはないが、おおむね同じ高さである。このとき平坦底調理容器９の一方の端が、五徳腕２の最も低い五徳中心部１０より外れようとすれば五徳腕傾斜角度１１の五徳腕３を上ることになり、その上がる量に応じて重力が動くので、外力のない状態ではそれ以上五徳中心部１０から外れることはない。したがって調理容器４の底が平坦でも球面でも本発明の趣旨は実現される。
【図面の簡単な説明】
【０００９】
【図１】本発明の主要な実施例の説明図である。（実施例１）
【図２】本発明の機能を説明する概念図である。
【図３】本発明の機能を説明する概念図である。
【図４】本発明の機能を説明する概念図である。
【図５】本発明の機能を説明する概念図である。
【図６】本発明の他の実施例の説明図である。（実施例２）
【図７】本発明の機能を説明する概念図である。
【図８】本発明の他の実施例の説明図である。（実施例３）
【図９】本発明の他の実施例の説明図である。（実施例４）
【図１０】本発明の他の実施例の説明図である。（実施例５）
【図１１】本発明の機能を説明する概念図である。
【図１２】本発明の他の実施例の説明図である。（実施例６）
【図１３】本発明の他の実施例の説明図である。（実施例７）
【図１４】本発明の他の実施例の説明図である。（実施例８）
【図１５】本発明の他の実施例の説明図である。（実施例９）
【図１６】本発明の機能を説明する概念図である。
【図１７】本発明の機能を説明する概念図である。
【図１８】本発明の他の実施例の説明図である。（実施例１０）
【図１９】本発明の他の実施例の説明図である。（実施例１１）
【図２０】本発明の機能を説明する概念図である。
【発明を実施するための形態】
【実施例１】
【００１０】  図１は本発明の具体的な全体像の一つを示す構成図であって、下向きに傾斜した五徳腕２を構成要素とした五徳１が基本構成である。また、加熱調理器具３は五徳１と一体化する場合も別体である場合もあり、これらも同様に本発明の一実施例である。
【実施例２】
【００１１】  実施例１では五徳腕２の傾斜面は直線としたが、下向きに傾斜していれば本発明の意図は達成できるので図６に示すように円弧状五徳腕２１を用いることもできる。【００１２】  当該円弧状五徳腕２１の円弧の曲率半径が、上に載せる球面鍋５の底の円弧の曲率半径より小さいと図７に示すように、球面鍋５の底は円弧状五徳腕２１に接しないが、この場合はむしろ球面鍋５の周辺が円弧状五徳腕２１に接するので、堅固に保持される。
【実施例３】
【００１３】  図８に本発明の他の実施例を示す。五徳腕２の表面に小さな凹凸の付いた凹凸面五徳腕２２を構成要素とするもので、この凹凸によって上に載せる調理容器が滑らないようにするものである。
【実施例４】
【００１４】  図９に本発明の他の実施例を示す。五徳腕２の傾斜部が小さな階段状に形成されているので、上に載せる調理容器４の底の長さよりわずかに長い仮想平面部分で調理容器４が安定する。階段一段分の高さの横ずれ防止爪があるような状態なので、調理容器４は堅固に保持できる。
【実施例５】
【００１５】  ここまで説明してきた本発明の実施例は、五徳腕全体が中心に向かって傾斜している場合であるが、図１０に示すように、中央部分が下向きに傾斜して五徳腕傾斜部２４を構成し、周辺部が平坦な五徳腕平坦部２５を構成することもできる。五徳腕傾斜部２４に嵌る調理容器４はここまで説明してきた通りだが、調理容器４がはみ出す場合に、図１１に示すように平坦底調理容器９の底は五徳腕平坦部２５に水平に乗り安定する。ただし、本発明の趣旨である調理容器の中央保持は実現できない。
【実施例６】
【００１６】  実施例１では、４本の五徳腕の場合を示した。本発明の他の実施例を図１２に示す。調理容器を安定して保持するには、幾何学で教えるように三点で一平面を構成することから、図１２に示す最低３本あればよい。五徳全体の重さを軽くするのに効果がある。また、一平面を構成するのは３点であるから、場合によっては４本以上の五徳より安定して保持できる長所を持つ。
【実施例７】
【００１７】  同様に、五徳腕が６本の本発明の他の実施例を図１３に示す。五徳腕の本数が多いほど上に載せる調理容器の縁に外力がかかっても、下から支える五徳腕の密度が高いのでより安定して保持できる。このように載せる調理器具の種類に応じて五徳腕２の本数を三本以上で任意に増やすことも本発明の実施例の一つである。
【実施例８】
【００１８】  ここまでの本発明の実施例の説明では、複数ある五徳腕は中心部で接続されて場合を示した。図１４に本発明の他の実施例を示すように、中心部で接続されていない分離五徳腕２６を用いることもできる。炎の中心部の直上には五徳腕がないので、効率的に燃焼炎を調理容器に当てることができる。この分離五徳腕の場合でも本発明の主旨は問題なく実現できる。
【実施例９】
【００１９】  図１５に本発明の他の実施例を示す。この実施例は、五徳腕２が加熱調理器具３と一体化している場合である。小さなシェラカップなどは傾斜している五徳腕にすっぽり収まり、図１６に示すようにきわめて安定した保持ができる。【００２０】  また、上に載せる調理容器４が大きい場合は、図１７に示すように、五徳腕平坦部２５を設けることで、周辺部分で安定して支えることができる。但し五徳腕平坦部２５は必要に応じて設ければ良く、本発明の主旨を実現するのに必須とは限らない。
【実施例１０】
【００２１】  図１８に本発明の他の実施例を示す。すでに図１６に示した実施例では、上に載せる調理容器の底面の大きさによって火口３１からの距離が変化するので、必ずしも最適の炎の部分に当たらないおそれがあるが、本実施例では五徳腕の角度が変化できる可変角度五徳腕２７なので、火口３１からの距離を最適な状態に設定できる。可変角度五徳腕２７には任意の角度で固定できる止めを設ける。
【実施例１１】
【００２２】  図１９に本発明の他の実施例を示す。ここまでの本発明の説明には加熱調理器具３は円筒状の筐体で説明したが、図１９に示すような加熱調理器具が折りたたみ可能なたき火台などの場合、五徳１を設置する部分は細い板状または棒状の支持台３２である場合、五徳１を固定する構造が不可欠である。【００２３】  このため、図２０に示すように、五徳１に固定突起１２を設けて、これを支持台３２の固定穴に挿入して固定したり、あるいは固定ねじ３４で五徳１と支持台３２を固定する必要がある。
【産業上の利用可能性】
【００２４】  以上、本発明を加熱調理器具に付随する五徳としての用途をあげたが、器状の器具を載せて固定する器具として汎用的に用いることができる。
【符号の説明】
【００２５】  １  五徳
２  五徳腕
３  加熱調理器具
４  調理容器
５  球面鍋
６  重心
７  接触円
８  重心軌跡円
９  平坦底調理容器
１０  五徳中心部
１１  五徳腕傾斜角度
１２  固定突起
２１  円弧状五徳腕
２２  凹凸面五徳腕
２３  階段状五徳腕
２４  五徳腕傾斜部
２５  五徳腕平坦部
２６  分離五徳腕
２７  可変角度五徳腕
３１  火口
３２  支持台
３３  固定穴
３４  固定ねじ
【図１】
2013032897.tif 000003
【図２】
2013032897.tif 000004
【図３】
2013032897.tif 000005
【図４】
2013032897.tif 000006
【図５】
2013032897.tif 000007
【図６】
2013032897.tif 000008
【図７】
2013032897.tif 000009
【図８】
2013032897.tif 000010
【図９】
2013032897.tif 000011
【図１０】
2013032897.tif 000012
【図１１】
2013032897.tif 000013
【図１２】
2013032897.tif 000014
【図１３】
2013032897.tif 000015
【図１４】
2013032897.tif 000016
【図１５】
2013032897.tif 000017
【図１６】
2013032897.tif 000018
【図１７】
2013032897.tif 000019
【図１８】
2013032897.tif 000020
【図１９】
2013032897.tif 000021
【図２０】
2013032897.tif 000022